(57)【特許請求の範囲】
【請求項１】
画像データをデジタル信号により処理する画像処理装置において、複数の濃度変換手段と、画像データの濃度範囲を検知する手段と、前記複数の濃度変換手段に対し個別に対応する濃度分布範囲を設定する手段と、前記複数の濃度変換手段の入力濃度値に対応する出力濃度値の濃度変換内容を濃度変換内容がグラフとして示された専用の原稿から読取り、前記読取り値に基づいて濃度変換内容を設定する手段と、画像データの濃度分布に応じて前記複数の濃度変換手段のいずれかを選択する手段を有することを特徴とする画像処理装置。
【請求項２】
前記画像処理装置は少なくとも操作値を表示する操作部を備え、かつ原稿から読取り設定された前記複数の濃度変換手段の入力濃度値に対応する出力濃度値の前記濃度変換内容を前記操作部に表示する手段を有することを特徴とする請求項１記載の画像処理装置。
【請求項３】
前記複数の濃度変換手段の入力濃度値に対応する出力濃度値の前記濃度変換内容を設定するための濃度変換内容をグラフとして記入できるフォーマットシートの作成手段を備えたことを特徴とする請求項１または２記載の画像処理装置。
【請求項４】
前記フォーマットシートの認識を行う手段を備えたことを特徴とする請求項３記載の画像処理装置。
【発明の詳細な説明】
【０００１】
【発明の属する技術分野】
本発明は、デジタル画像処理装置に関し、とりわけスキャナ等から入力された画像データを処理する画像処理装置に関するものである。
本発明は、デジタル画像データを使用するコピー、ファクシミリ、およびスキャナ、プリンタを有する各種装置の画像処理部に応用される。
【０００２】
【従来の技術】
デジタル複写機のスキャナなどから入力された画像データを処理して、プリンタから出力するデジタル複写機等では、原稿画像の濃度を制御するγ補正などの濃度変換手段を有している。
こうした濃度変換手段の設定については、従来、原稿全体の濃度範囲から設定を行うことで画像品質を向上させる構成があり、例えば特開平５−１４７３０号公報において開示されている。あるいは、地肌濃度範囲の除去を行うことで画像品質を向上させる構成として、特開平２−２６５２７６号公報がある。
【０００３】
ところが、前記のような構成は、原稿のなかに含まれる画像の種類別に濃度が異なることを検出して、その濃度分布に応じて濃度変換装置を選択するものではなかった。
そこで原稿に含まれる画像の種類によって異なる濃度を検出して、その濃度分布に応じて濃度変換手段を選択する画像処理装置が試みられた。
しかし、上記における従来技術においては、濃度変換手段にあらかじめ設定しておく濃度変換内容を新たに作成し、あるいは所望の任意の条件に設定可能な機能が備わっておらず、このため種々の異なる濃度構成の原稿に最適な処理条件を具現することが容易ではなかった。
【０００４】
【発明が解決しようとする課題】
本発明は、前記のような従来技術における問題点を解決するためなされたもので、その目的は濃度変換手段にあらかじめ設定しておく濃度変換内容の新規作成および変更を容易に行うことができ、原稿の種類別に最適な濃度の設定が可能な画像処理装置を提供することにある。
【０００５】
【課題を解決するための手段】
課題を解決するため本発明に係る画像処理装置は、複数の濃度変換と、画像データの濃度分布を検出する手段と、前記複数の濃度変換手段に対し個別に対応する濃度分布範囲を設定する手段と、複数の濃度変換手段に  対し個別に対応する濃度分布範囲を設定する手段と、前記複数の濃度変換手段の入力濃度値に対応する出力濃度値の濃度変換内容を濃度変換内容がグラフとして示された専用の原稿から読取り、前記読取り値に基づいて濃度変換内容を設定する手段と、画像データの濃度分布に応じて前記複数の濃度変換手段のいずれかを選択する手段とを有することを特徴とする。
前記の構成によれば、原稿ごとに最適な濃度変換内容が異なることに対して、濃度変換内容を原稿ごとに任意に設定する際に、その設定内容を専用の原稿から読み取ることができるから、様々な画像に対して最適な濃度変換設定を容易に行うことが可能になる。
【０００６】
請求項２に対応する課題を解決するため本発明に係る画像処理装置は、複数の濃度変換手段を有し、画像データの濃度分布を検出する手段を有し、専用の原稿から読み取ることにより設定された濃度変換内容を操作部から容易に確認できる手段を有して構成されたことを特徴とする。
前記の構成によれば、最適な濃度変換内容の設定に対し、専用の原稿から読み取ることにより設定された濃度変換内容を操作部から容易に確認することが可能であるから、様々な画像に対して良好な濃度変換を行うことが可能になる。
【０００７】
また、請求項３に対応する課題を解決するため本発明に係る画像処理装置は、複数の濃度変換手段を有し、画像データの濃度分布を検出する手段を有し、濃度変換内容をグラフとして記入できるフォーマットシートを作成する手段を有して構成されたことを特徴とする。前記の構成によれば、濃度変換内容をグラフとして記入できる専用のフォーマットシートによって最適な濃度変換内容の設定原稿が作成されるから、様々な画像に対して良好な濃度変換を行う画像処理装置の実現が可能になる。
【０００８】
さらに請求項４に対応する課題を解決するため本発明に係る画像処理装置は、複数の濃度変換手段を有し、画像データの濃度分布を検出する手段を有し、最適な濃度変換内容の設定に対し、読取原稿が濃度変換内容を記入したフォーマットシートであるかどうか判断する手段を有して構成されたことを特徴とする。
前記の構成によれば、読取原稿が濃度変換内容を記入した専用の原稿であるかどうか判断して、専用の原稿であれば濃度変換内容の設定を行い、そうでなければ通常のコピーを行うことで、連続する複数の原稿の様々な種類の画像に対して良好な濃度変換を行うことが可能になる。
【０００９】
【発明の実施の形態】
以下に、本発明の画像処理装置の構成と動作を、デジタル複写機に応用した場合を一実施形態として説明する。
図１は、本発明に係る画像処理装置の一実施形態の機能ブロック図である。本発明に係る画像処理装置１は、画像入力部１０１、濃度変換部１０２、画像処理部１０３、画像出力部１０４、制御部１０５、操作部１０６、画像記憶部１０７、読取設定・表示部１０８を擁して構成されている。
【００１０】
画像入力部１０１は、デジタルコピー、デジタルファクシミリのスキャナに相当し、原稿を読取入力画像データとして濃度変換部１０２と画像記憶部１０７に送る。
濃度変換部１０２は、入力画像データの濃度分布を検知し、画像の濃度範囲に対応した濃度変換を行う。変換後の画像データを画像処理部１０３に送る。
濃度変換部１０２は、濃度変換手段４０１〜４０３、濃度分布範囲設定手段４０９を擁する濃度範囲検知手段４０５〜４０７、適切な構成を選択するセレクタ４０４を備える。
【００１１】
画像記憶部１０７は、入力画像データを記憶し、制御部１０５からの読みだし要求に応じて画像データを制御部１０５に送る。また制御部１０５からの書込み要求に応じて受け取ったデータを記憶し、濃度変換部１０２へ送る。
【００１２】
画像処理部１０３は、入力された画像データに対してフィルタ処理、変倍処理、階調処理などの各種画像処理を行い処理結果を画像出力部１０４に送る。
画像出力部１０４は、デジタル複写機のプリンタに相当し、処理後のビットマップ画像データを紙にプリント出力する。
【００１３】
制御部１０５は、コピー動作を行うときの装置の全体制御を行う。画像入力部１０１に対しては、スキャナの動作制御を行い、濃度変換１０２に対しては、濃度範囲の設定を行い、画像処理部１０３に対しては、フィルタ処理、変倍処理、階調処理などの各種画像処理の選択、処理に用いるパラメータの設定を行い、操作部１０６に対しては、動作設定条件の表示制御や動作モード、レベル設定の入力制御を行う。
【００１４】
操作部１０６は、使用者が動作モードの入力やコピー動作、動作のスタートの指示の入力、濃度設定の変更などに用いられる。
読取設定・表示部１０８は、濃度変換条件を更新する際に機能するもので、更新されるべき濃度変換条件の内容を読み取って設定変更する濃度変換内容読取設定手段８８１と、更新されるべき濃度変換条件の内容を表示する濃度変換内容表示手段８８２をそれぞれ備える。
【００１５】
図２は、画像処理装置１を構成する各機構の構成図である。同図で、原稿画像を読み取るスキャナ２０１が前記画像入力部１０１を構成し、濃度変換／設定／表示機構２０２が前記濃度変換部１０２ならびに読取設定・表示部１０８を構成し、画像データを記憶する画像メモリ２１０が画像記憶部１０７を構成し、フィルタ／変倍／階調処理機構２０３が画像処理部１０３を構成し、画像をコピーとして出力するプリンタ２０４が画像出力部１０４を構成し、動作モード選択、スタート、ストップ等の指示を与えたり認識を表示する操作パネル２０９が操作部１０６を構成している。
【００１６】
さらに、装置全体の制御を実行するＣＰＵ２０６、制御プログラムが格納されているＲＯＭ２０７、制御プログラムが一時的に使用するＲＡＭ２０８、各装置間のデータのやり取りを行う内部システムバス２０５が、制御部１０５に対応している。
【００１７】
図３は、スキャナ２０１およびプリンタ２０４の内部の概略構成を示す説明図である。スキャナ２０１における原稿を載置するためのコンタクトガラス３０１は、光源３０２ａ、３０２ｂによって照明され、読取原稿からの反射光はミラー３０３から３０７およびレンズ３０８を介してＣＣＤイメージセンサ３０９の受光面に結像される。光源３０２（３０２ａ、３０２ｂ）およびミラー３０３は、コンタクトガラス３０１の下面をコンタクトガラス３０１と平行に副走査方向に移動する走行体３１０に搭載され、ミラー３０４、３０５はその走行体３１０に連動して２分の１の速度で副走査方向に移動する走行体３１１に搭載されている。主走査方向のスキャンは、ＣＣＤイメージセンサ３０９の固体走査によって行われ、原稿画像はＣＣＤイメージセンサ３０９によって読み取られ、前述のような光源系が移動することで原稿全体が走査されるようになっている。図中３３９は、原稿を押圧するための圧板である。
【００１８】
次に、プリンタ２０４は、レーザ書込み系、画像再生系ならびに給紙系により構成される。レーザ書込み系は、レーザ出力ユニット３２１、結像レンズ３２２ならびにミラー３２３を備えている。レーザ出力ユニット３２１の内部には、レーザ光源であるレーザダイオードおよび電気モータによって高速で回転する多角形ミラー（ポリゴンミラー）が設けらている。レーザ書込み系から出力されるレーザ光が画像再生系の感光対ドラム３２４に照射される。感光体ドラム３２４の周囲には、帯電チャージャ３２５、イレーサ３２６、現像ユニット３２７、転写チャージャ３２８、分離チャージャ３２９、分離爪３３０、クリーニングユニット３３１などが備わっている。尚、感光体ドラム３２４の一端近傍でレーザビームが照射される位置に主走査同期信号を発生させるビームセンサ（図示せず）が配置されている。
【００１９】
このプリンタ２０４における画像再生プロセスを簡単に説明する。感光体ドラム３２４の周面は、帯電チャージャ３２５によって一様に高電位に帯電される。その周面にレーザ光が照射されると、照射された部分は電位が下がる。レーザ光は記録再生の黒／白に応じてＯＮ／ＯＦＦ制御されるので、レーザ光の照射によって、感光体ドラム３２４の周面に記録画像に対応する電位分布、即ち静電潜像が形成される。静電潜像が形成された部分が現像ユニット３２７を通ると、その電位の高低に応じてトナーが付着し、静電潜像が可視化したトナー像となる。トナー像が形成された部分に所定のタイミングで記録シート３３２がカセットから送り込まれ、トナー像に重なる。このトナー像は転写チャージャ３２８によって記録シート３３２に転写され、その後分離チャージャ３２９ならびに分離爪３３０によって、感光体ドラム３２４から分離される。分離された記録シート３３２は、搬送ベルト３３４によって搬送され、ヒータを内蔵した定着ローラ３３５によって加熱着された後、排紙トレイ３３６に排紙される。
【００２０】
また、本実施形態では、図３に示すとおりプリンタ２０６は給紙系を２系統有している。一方の給紙系は、上段給紙カセット３３３ａおよび手差し給紙台３３３ｃが備わっており、上段給紙カセット３３３ａおよび手差し給紙台３３３ｃにセットされた記録シート３３２ａは、給紙ローラ３３７ａによって給紙される。
もう一方の給紙系には下段給紙カセット３３３ｂが備わり、下段給紙カセット３３３ｂ内の記録シート３３２ｂは、給紙ローラ３３７ｂによって給紙される。
そして何れかの給紙ローラから給紙された記録シート３３２はレジストローラ３３８に当接した状態で一旦停止し、記録プロセスの進行に同期したタイミングで感光体とラム３２４に送り込まれる。
【００２１】
図４に、図１における濃度変換部１０２の詳細な構成例を示す。
画像入力部１０１から入力された画像データに対し、第１濃度変換４０１（あるいは濃度変換１（４０１））、第２濃度変換４０２、第３濃度変換４０３がそれぞれ設定されている。濃度変換カーブに基づいて濃度変換を行う。
濃度変換カーブは、例えば図１７〜図１９のように各濃度変換装置ごとに設定することができる。図１７に示されるように、第１濃度変換４０１では、入力濃度に対し低濃度部の出力をおさえた出力濃度が得られる変換が、また第２濃度変換４０２では、図１８に示されるように、薄い濃度部の濃度の立ち上がりをなだらかにする出力濃度が得られる変換が、また濃度変換３では、図１９に示されるように、濃い濃度部の濃度を強調する出力濃度が得られる変換が行われる。
【００２２】
また、画像入力部１０１から入力された画像データに対し、第１濃度範囲検知４０５、第２濃度範囲検知４０６、第３濃度検知４０７が、それぞれ設定されている濃度範囲内であるかどうかを検知する。
第１〜第３濃度検知範囲４０５、４０６、４０７は、入力された画像データが設定されている濃度範囲内であった場合は、それぞれに対応する信号ａ１、ａ２、ａ３を出力する。
【００２３】
優先順位判定４０８は、第１〜第３濃度検知範囲４０５、４０６、４０７からの信号の優先度を決めてセレクタ４０４へ送る。即ちａ１、ａ２、ａ３の３つの信号の内、複数の信号が入力されても、そのうち一つだけを選択してセレクタ４０４へ送る。ここでは例として、（優先度が高い側）ａ＞ａ２＞ａ３（優先度の低い側）とする。
【００２４】
セレクタ４０４は、優先度判定４０８からの信号に基づいて、ａ１、ａ２、ａ３の３つの入力信号の中から一つだけを選択して出力する。例えば、濃度範囲検知ａ１の信号が出ているときは、対応する第１濃度変換４０１の出力を選択して出力する。
以上の構成により、画像データの濃度分布に応じて、濃度変換方式の選択を行う。
【００２５】
図６に、図における第１〜第３濃度検知範囲４０５、４０６、４０７の内部の詳細な構成を示す。レジスタ６０１、６０２、コンパレータ６０７、６０８、ゲート６１３が第１濃度範囲検知４０５に、レジスタ６０３、６０４、コンパレータ６０９、６１０、ゲート６１４が第２濃度範囲検知４０６に、レジスタ６０５、６０６、コンパレータ６１１、６１２、ゲート６１５が第３濃度範囲検知４０７に、それぞれ対応している。
【００２６】
第１濃度範囲検知４０５の動作について説明する。なお第２濃度範囲検知４０６、第３濃度範囲検知４０７についても同じである。
レジスタ６０１は、設定されている濃度範囲の始まりの濃度を記憶しているレジスタである。またレジスタ６０２は、設定されている濃度範囲の終わりの濃度を記憶しているレジスタである。
コンパレータ６０７は、画像入力部１０１からの画像データがレジスタ６０１の設定値以上かどうかを判定する。また、コンパレータ６０８は、画像入力部１０１からの画像データが、レジスタ６０２の設定値未満かどうかを判定する。
画像入力部１０１からの画像データが、レジスタ６０１の設定値以上かつレジスタ６０２の設定値未満の時、アンドゲート６１３の出力ａ１が出ることになる。
【００２７】
ここで、各レジスタ（６０１〜６０６）への設定は、ＣＰＵ２０６によりシステムバス２０５を通して変更できる。
以上の構成により、複数の濃度変換手段に対し、個別に対応する濃度分布範囲を設定することができる。
【００２８】
図１７〜図１９のように各濃度変換手段に濃度範囲、変換内容が設定されていた場合、この例では各濃度変換手段に設定されている濃度範囲に重なりがないため、結果として図２０に示す濃度変換が行われる。
【００２９】
次に第１〜第３濃度変換４０１、４０２、４０３の内部構成について説明する。尚、それぞれの濃度変換の構成は同じであるので、第１濃度変換を例にして説明する。図５は第１濃度変換４０１の詳細な構成を表した図である。ＲＡＭ５０２には、濃度変換内容が記憶される。ここでは例として８ビット×２５６ワードのＲＡＭを用いる。その場合、入力濃度値の範囲は０から２５５、出力濃度値の範囲も０から２５５になる。
【００３０】
図５のブロック図は２通りの動作モードをもつ。第１の動作モードは、設定モードである。この時は、セレクタ５０１のセレクト信号であるモードを０に設定する。セレクタ５０１はＣＰＵ２０６のアドレスバスを選択してＲＡＭ５０２のアドレスバスに出力する。またＣＰＵのデータバスがＲＡＭ５０２に接続されているので、この設定モードではＣＰＵ２０６がＲＡＭ５０２の内容を自由に書込み設定できる。図５においてＲＡＭ５０２の制御信号（リード信号、ライト信号、チップセレクト信号など）を省略してあるが、一般的なＲＡＭの書込み動作タイミングは満足されているものとする。
【００３１】
第２の動作モードは、濃度変換モードである。この時は、セレクタ５０１のセレクト信号であるモードを１に設定する。セレクタ５０１は画像入力信号を選択してＲＡＭ５０２のアドレスバスに出力する。ＲＡＭ５０２はアドレスとして入力された信号を入力濃度として、それに対応する濃度変換後の出力濃度を読みだし、データアウト信号として出力する。図５においてＲＡＭ５０２の制御信号（リード信号、ライト信号、チップセレクト信号など）は省略してあるが、一般的なＲＡＭの読みだし動作タイミングは満足されているものとする。
【００３２】
次に本発明の請求項１と４に対応する動作を説明する。図７、図８、図９、図１０は、デジタル複写機の操作部の表示の例である。
はじめ、デジタル複写機の操作部の表示は図７のようになっている。図７における濃度変換表示が、機能のＯＮ／ＯＦＦを決める。濃度変換機能を使用する場合は、濃度変換表示を押す。濃度変換機能が選択された場合は、図８のように機能が選択された表示になる。
濃度変換機能が選択されると、図９のように使用する濃度変換の設定画面になる。請求項１に対しては濃度調整フォーマットシートによる濃度調整が対応する。この設定を、使用するにした場合、本発明が機能する。
【００３３】
図１１は、濃度変換内容を記入するフォーマットシートに、各種データを記入した例である。このシートに、図示されるように濃度変換内容を設定する濃度変換手段の番号と、その濃度変換手段が有効になる入力濃度範囲と入力濃度と出力濃度の変換対応のグラフを記入する。データ記入後のフォーマットシートは、原稿として読み取られる。
【００３４】
次にフォーマットシートの読取から濃度変換内容の設定までの動作を説明する。図２１に動作の流れを示す。
はじめに、通常のコピー動作と同じように原稿１９０８をスキャナで読み取る（ステップＳ１９０１）。読取画像データ１９０９は画像メモリ２１０に格納される。以下の動作は、画像メモリ２１０に格納された画像データに対してＣＰＵ２０６のプログラムが実行されるものである。
【００３５】
読取画像データ１９０９に対してＯＣＲを行い（ステップＳ１９０２）、フォーマットシート上に記入してある数字やグラフデータ１９１０を認識する。  認識の手段に関しては、従来からの技術によって可能なので説明を省略する。
ついでＯＣＲ結果１９１０から、読み取った原稿がフォーマットシートかどうかの認識を行う（ステップＳ１９０３）。フォーマットシートであると認識された場合は（ステップＳ１９０４）、ＯＣＲ結果に基づき濃度変換内容の設定を行う。
【００３６】
濃度変換内容の設定は、濃度変換内容読取設定手段８８１がＯＣＲ結果のグラフデータをＲＡＭ５０２に格納（ステップＳ１９０６）することにより実行される。
フォーマットシートでないと認識された場合は、通常コピー動作を行う。通常コピーは、画像メモリ２１０に格納されている読取画像データをコピー出力する動作を行う（ステップＳ１９０５）。
【００３７】
次に読み取ったグラフデータを、メモリに格納する動作を説明する。グラフデータは入力濃度とそれに対応する出力濃度が表されている。ここで、入力濃度はＲＡＭ５０２のアドレスとなり、出力濃度はＲＡＭ５０２のデータとして対応するアドレスに格納される。
【００３８】
ＲＡＭ５０２に対するデータ格納の動作を図５の構成に基づいて説明する。図５は動作モードと設定モードという２つの動作モードをもつが、はじめに、設定モードにするためにモード信号を０にしてセレクタ５０１にＣＰＵアドレスを選択させてＲＡＭ５０２のアドレスバスに伝える。
次に、グラフデータによる入力濃度値をＣＰＵ２０６のアドレスバスから出力する。グラフデータによる出力濃度値をＣＰＵ２０６のデータバスから出力する。グラフデータによる出力濃度値をＣＰＵ２０６のデータバスから出力してＲＡＭ５０２に書き込む。
【００３９】
以上の動作を繰り返し行うことで、グラフデータによる全ての入力濃度値と出力濃度値の変換の対応関係がＲＡＭ５０２に記憶される。全ての対応の設定が終了したら、モード信号を１にしてセレクタ５０１に画像入力を選択させ、画像入力をＲＡＭ５０２のアドレスバスに伝える。これにより濃度変換モードになる。
図１６は、ＲＡＭ５０２に格納されているデータ形式を表した図である。ＲＡＭ５０２のアドレスが入力濃度に、またデータが出力濃度に対応している。
【００４０】
次に、グラフデータ濃度変換の有効範囲を設定する。有効範囲は入力の濃度範囲で指定されていて、範囲の始まりの値をレジスタ６０１に、範囲の終わりの値をレジスタ６０２に書き込むことで、設定を行う。
【００４１】
図１２〜図１４は、上記のようにして設定された各濃度変換の例をグラフで表した図である。各濃度変換器別に独立の濃度変換内容が設定してある。
また、図１２〜図１４のように各濃度変換手段に濃度範囲、変換内容が設定されていた場合、この例では各濃度変換手段に設定されている濃度範囲に重なりがないため、結果として図１５に示す濃度変換が行われる。
【００４２】
次に、本発明の請求項２による画像処理装置の動作の説明を行う。
図９において、濃度調整フォーマットシートによる現在の濃度設定を確認すると指定した場合に、濃度変換内容表示手段８８２がＲＡＭ５０２に格納されているデータ（例えば図１６）を読みだしグラフ化して、操作部に図１０のように表示を行う。
【００４３】
次に、本発明の請求項３による画像処理装置の動作の説明を行う。
図９において、濃度調整フォーマットシート原紙プリントを行うと指定した場合に動作する。
フォーマットシートのプリントは、図２２の流れにより動作する。はじめに、ＲＯＭ２０７にあらかじめ格納されているフォーマットシートデータ２００５を読みだす（ステップＳ２００１）。
次に読みだしたフォーマットシートのデータを、画像メモリ２１０上に展開描画する（ステップＳ２００２）。メモリ量の節約のためフォーマットシートのデータ２００５は圧縮形式でＲＯＭ２０７に格納しておくため、まず圧縮形式の展開を行って次に描画を行う。
【００４４】
フォーマットシートデータの全ての描画が完了したら（ステップＳ２００３）、通常コピーのように複写機を動作させて、画像メモリ２１０内のデータを読み取り、データの代わりにプリント出力する（ステップＳ２００４）。
【００４５】
以上の説明から、複数の濃度変換手段の濃度変換内容として、フォーマットシートに記入された入力濃度と出力濃度の対応を原稿として、読み取ることで簡単に設定することができ、画像データの濃度分布に応じて、濃度変換方式を選択することが可能な画像処理装置を実現することができる。
【００４６】
【発明の効果】
以上詳述したように、本発明の請求項１に係る構成により、濃度変換手段にあらかじめ設定しておく濃度変換内容をフォーマットシートから設定する手段を提供することが可能になるので、複雑な濃度変換の設定も簡単に行うことができ、様々な種類の原稿に対して良好な濃度変換を行う画像処理装置を提供できる。
【００４７】
また、本発明の請求項２に係る構成により、濃度変換手段にあらかじめ設定しておく濃度変換内容を、操作部から確認することが可能になるので、フォーマットシートによる設定誤りを未然に防止することができ、使用者の希望どうりの濃度変換を行う画像処理装置を提供できる。
【００４８】
また、本発明の請求項３に係る構成により、濃度変換手段にあらかじめ設定しておく濃度変換内容を設定するフォーマットシートの原紙が作成できるので、濃度変換内容の記入の作業が行いやすく、使用者に負担をかけずに濃度変換内容の設定が行える画像処理装置を提供できる。
【００４９】
さらに、本発明の請求項４に係る構成により、連続コピー時においても、濃度変換手段にあらかじめ設定しておく濃度変換内容をフォーマットシートから設定する手段を提供することが可能になるので、様々な種類の原稿が混在している複数枚の原稿に対しても、原稿の間にフォーマットシートを入れておくだけで、良好な濃度変換を行う画像処理装置を提供できる。
【００５０】
例えば、５ページの原稿について、第１、第２、第４、第５ページ目が文字原稿であり、第３ページ目が写真原稿であり、かつ文字原稿は濃い濃度変換、写真原稿は薄い濃度変換を行いたい場合は、濃い濃度変換内容のフォーマットシートと薄い濃度変換内容のフォーマットシートを以下のように原稿の間に入れて、自動原稿読取装置にセットするだけで実現できる。
濃い濃度変換内容のフォーマットシート
１ページ目：文字原稿
２ページ目：文字原稿
薄い濃度変換内容のフォーマットシート
３ページ目：写真原稿
濃い濃度変換内容のフォーマットシート
４ページ目：文字原稿
５ページ目：文字原稿
ここでは原稿自動読取装置は、原稿の１ページ目から順番に読み取っていく場合を想定しているが、原稿の最終ページから順番に読み取っていく原稿自動読取装置においても、フォーマットシートを設定を有効にしたい原稿の読み取られる直前に入れておくことで対応可能である。
【図面の簡単な説明】
【図１】本発明に係る画像処理装置の一実施形態の機能ブロック図である。
【図２】図１の画像処理装置を構成する各機構の構成図である。
【図３】本発明の一実施形態を構成するデジタル複写機の要部説明図である。
【図４】濃度変換部のブロック構成図である。
【図５】ＣＰＵ及び周辺部分のブロック構成図である。
【図６】第１乃至第３濃度範囲検知のブロック構成図である。
【図７】デジタルコピーの操作部の表示例である。
【図８】濃度変換機能をＯＮにした時のデジタルコピーの操作部の表示例である。
【図９】本発明の複数の機能の使用に関する設定の表示時のデジタルコピー操作部の表示例である。
【図１０】複数の濃度変換に現在設定されている濃度変換内容を表示した時のデジタルコピーの操作部の表示例である。
【図１１】濃度変換内容の記入を行ったフォーマットシートの例である。
【図１２】濃度変換手段に設定した入力濃度と出力濃度の濃度変換内容の対応を示した図の一例である。
【図１３】濃度変換手段に設定した入力濃度と出力濃度の濃度変換内容の対応を示した図の一例である。
【図１４】濃度変換手段に設定した入力濃度と出力濃度の濃度変換内容の対応を示した図の一例である。
【図１５】図１２〜図１４の濃度変換内容の設定から得られる実際の入力濃度と出力濃度の濃度変換内容の対応を示した図である。
【図１６】ＲＡＭに格納されている入力濃度と出力濃度の状態を表した図である。
【図１７】濃度変換手段に設定した入力濃度と出力濃度の濃度変換内容の対応を示した図の一例である。
【図１８】濃度変換手段に設定した入力濃度と出力濃度の濃度変換内容の対応を示した図の一例である。
【図１９】濃度変換手段に設定した入力濃度と出力濃度の濃度変換内容の対応を示した図の一例である。
【図２０】図１７〜図１９の濃度変換内容の設定から得られる実際の入力濃度と出力濃度の濃度変換内容の対応を示した図である。
【図２１】フォーマットシートの認識、濃度変換内容の設定動作のフローチャートである。
【図２２】フォーマットシートのプリント出力動作のフローチャートである。
【符号の説明】
１  画像処理装置
１０１  画像入力部
１０２  濃度変換部
１０３  画像処理部
１０４  画像出力部
１０５  制御部
１０６  操作部
１０７  画像記憶部
１０８  読取設定・表示部
４０１〜４０３  濃度変換手段
４０４  セレクタ
４０５〜４０７  濃度範囲検知手段
４０９  濃度分布範囲設定手段
８８１  濃度変換内容読取設定手段
８８２  濃度変換内容表示手段
【図１】
0003621795.tif 000002
【図２】
0003621795.tif 000003
【図３】
0003621795.tif 000004
【図４】
0003621795.tif 000005
【図５】
0003621795.tif 000006
【図６】
0003621795.tif 000007
【図７】
0003621795.tif 000008
【図８】
0003621795.tif 000009
【図９】
0003621795.tif 000010
【図１０】
0003621795.tif 000011
【図１１】
0003621795.tif 000012
【図１２】
0003621795.tif 000013
【図１３】
0003621795.tif 000014
【図１４】
0003621795.tif 000015
【図１５】
0003621795.tif 000016
【図１６】
0003621795.tif 000017
【図１７】
0003621795.tif 000018
【図１８】
0003621795.tif 000019
【図１９】
0003621795.tif 000020
【図２０】
0003621795.tif 000021
【図２１】
0003621795.tif 000022
【図２２】
0003621795.tif 000023